(57)【要約】【課題】部品箱を何度も取り替える必要がなく且つ習熟しない作業者でも基板に間違いなく部品を挿入できるようにする。【解決手段】次に基板（ＰＢ）に挿入するべき部品を収容した部品箱（２ａ）の表示器（３ａ）を点灯すると共に、基板（ＰＢ）上の部品挿入位置を示すレイアウト（ｍ４）をモニタ（４ａ）に表示する。【効果】挿入する部品を取り違えたり、「挿入忘れ」することがなくなり、習熟しない作業者でも基板に間違いなく部品を挿入できる。異なる種類の基板に挿入する部品を収容した部品箱を混在させておくことが可能となり、１日の作業中に基板の種類が何度も変わる場合でも、部品箱を何度も取り替える必要がなくなる。【選択図】　図２
2004071592.tif 000002
【特許請求の範囲】
【請求項１】
基板（ＰＢ）に挿入するべき複数の部品がそれぞれ収容されている複数の部品箱（２ａ）と、各部品箱（２ａ）にそれぞれ設けられた表示器（３ａ）と、作業者への指示を表示するモニタ（４ａ）と、次に基板（ＰＢ）に挿入するべき部品を収容した部品箱（２ａ）の表示器（３ａ）を点灯すると共に基板（ＰＢ）上の部品挿入位置を前記モニタ（４ａ）に表示する作業指示手段（５）とを具備したことを特徴とする部品手挿入ナビゲーション装置（１ａ）。
【請求項２】
請求項１に記載の部品手挿入ナビゲーション装置（１ａ）において、作業者が作業の終了を前記作業指示手段（５）に入力するための操作手段（６ａ）を具備し、前記作業指示手段（５）は、ある作業箇所で作業の終了が入力されると、同作業箇所で次に基板（ＰＢ）に挿入するべき部品があれば該部品を収容した部品箱（２ａ）の表示器（３ａ）を点灯すると共に基板（ＰＢ）上の部品挿入位置を前記モニタ（４ａ）に表示することを特徴とする部品手挿入ナビゲーション装置（１ａ）。
【請求項３】
基板（ＰＢ）に挿入するべき複数の部品がそれぞれ収容されている複数の部品箱（２ａ）と、作業者への指示を表示するモニタ（４ａ）と、次に基板（ＰＢ）に挿入するべき部品を収容した部品箱（２ａ）の識別子および基板（ＰＢ）上の部品挿入位置を前記モニタ（４ａ）に表示する作業指示手段（５）とを具備したことを特徴とする部品手挿入ナビゲーション装置（１ａ）。
【請求項４】
請求項３に記載の部品手挿入ナビゲーション装置（１ａ）において、作業者が作業の終了を前記作業指示手段（５）に入力するための操作手段（６ａ）を具備し、前記作業指示手段（５）は、ある作業箇所で作業の終了が入力されると、同作業箇所で次に基板（ＰＢ）に挿入するべき部品があれば該部品を収容した部品箱（２ａ）の識別子および基板（ＰＢ）上の部品挿入位置を前記モニタ（４ａ）に表示することを特徴とする部品手挿入ナビゲーション装置（１ａ）。
【請求項５】
請求項１から請求項４のいずれかに記載の部品手挿入ナビゲーション装置（１ａ）において、前記作業指示手段（５）は、基板上の部品挿入位置に印字された文字，記号等を前記モニタ（４ａ）に表示することを特徴とする部品手挿入ナビゲーション装置（１ａ）。
【請求項６】
請求項１から請求項５のいずれかに記載の部品手挿入ナビゲーション装置（１ａ）において、前記作業指示手段（５）は、基板（ＰＢ）上の部品挿入位置を示すレイアウトを前記モニタ（４ａ）に表示することを特徴とする部品手挿入ナビゲーション装置（１ａ）。
【請求項７】
請求項１から請求項６のいずれかに記載の部品手挿入ナビゲーション装置（１ａ）において、前記作業指示手段（５）は、部品挿入履歴を前記モニタ（４ａ）に表示することを特徴とする部品手挿入ナビゲーション装置（１ａ）。
【請求項８】
請求項１から請求項７のいずれかに記載の部品手挿入ナビゲーション装置（１ａ）において、前記作業指示手段（５）は、部品挿入予定を前記モニタ（４ａ）に表示することを特徴とする部品手挿入ナビゲーション装置（１ａ）。
【請求項９】
請求項１から請求項８のいずれかに記載の部品手挿入ナビゲーション装置（１ａ）において、前記作業指示手段（５）は、ＣＳＶ形式のファイルによりプログラマブルであることを特徴とする部品手挿入ナビゲーション装置（１ａ）。
【請求項１０】
請求項１から請求項９のいずれかに記載の部品手挿入ナビゲーション装置（１ａ）において、作業者が作業の終了を前記作業指示手段（５）に入力するための操作手段（６ａ）を具備し、前記作業指示手段（５）は、作業の終了が入力された時刻を計測することを特徴とする部品手挿入ナビゲーション装置（１ａ）。
【請求項１１】
基板（ＰＢ）を載せたキャリア（１２）が移動するライン（１１）に沿った複数の作業箇所に請求項１から請求項１０のいずれかに記載の部品手挿入ナビゲーション装置（１ａ，１ｂ，１ｃ）の部品箱（２ａ，２ｂ，２ｃ）と、表示器（３ａ，３ｂ，３ｃ）と、モニタ（４ａ，４ｂ，４ｃ）とをそれぞれ配したことを特徴とする部品手挿入ライン装置（１０）。
【請求項１２】
請求項１１に記載の部品手挿入ライン装置（１０）において、ライン（１１）に沿った複数の作業箇所のうちの最後より前の作業箇所に、作業者が作業の終了を前記作業指示手段（５）に入力するための操作手段（６ａ，６ｂ，６ｃ）をそれぞれ配し、前記作業指示手段（５）は、ある作業箇所で作業の終了が入力されると、同作業箇所で次に基板（ＰＢ）に挿入するべき部品がなければ次の作業箇所にキャリア（１２）を移動する旨を前記モニタ（４ａ）に表示することを特徴とする部品手挿入ライン装置（１０）。
【発明の詳細な説明】
【０００１】
【発明の属する技術分野】
本発明は、部品手挿入ナビゲーション装置および部品手挿入ラインに関し、さらに詳しくは、部品箱を何度も取り替える必要がなく且つ習熟しない作業者でも基板に間違いなく部品を挿入できる部品手挿入ナビゲーション装置および部品手挿入ラインに関する。
【０００２】
【従来の技術】
従来の部品手挿入ラインでは、基板を載せたキャリアが移動するラインに沿って設けた複数の作業箇所に、複数の部品をそれぞれ収容した複数の部品箱を設置している。そして、各作業箇所を担当する作業者が、それぞれ作業指図書を見て、部品箱から部品を取り出し、基板に挿入している。
【０００３】
【発明が解決しようとする課題】
従来の部品手挿入ラインには、次の問題点がある。
（１）各作業箇所には、その作業箇所で挿入する数点の部品を収容した部品箱だけを設置している。しかし、１日の作業中、基板の種類が何度も変わる場合、部品箱を何度も取り替える必要があり、煩雑である。
（２）一方、異なる種類の基板に挿入する部品を収容した部品箱を混在させていると、部品箱を何度も取り替える必要はなくなるが、習熟しない作業者では、挿入する部品の取り違えを生じることが多くなる問題点がある。また、作業指図書は、挿入する数点の部品の一覧表になっている。作業者は、一覧表に記載された順を追って部品箱から部品を取り出し、基板に挿入している。しかし、習熟しない作業者では、見落としによる「挿入忘れ」が発生する問題点がある。
【０００４】
そこで、本発明の目的は、部品箱を何度も取り替える必要がなく且つ習熟しない作業者でも基板に間違いなく部品を挿入できる部品手挿入ナビゲーション装置および部品手挿入ラインを提供することにある。
【０００５】
【課題を解決するための手段】
第１の観点では、本発明は、基板（ＰＢ）に挿入するべき複数の部品がそれぞれ収容されている複数の部品箱（２ａ）と、各部品箱（２ａ）にそれぞれ設けられた表示器（３ａ）と、作業者への指示を表示するモニタ（４ａ）と、次に基板（ＰＢ）に挿入するべき部品を収容した部品箱（２ａ）の表示器（３ａ）を点灯すると共に基板（ＰＢ）上の部品挿入位置を前記モニタ（４ａ）に表示する作業指示手段（５）とを具備したことを特徴とする部品手挿入ナビゲーション装置（１ａ）を提供する。
上記第１の観点による部品手挿入ナビゲーション装置（１ａ）では、次に挿入する部品を収容した部品箱（２ａ）の表示器（３ａ）を点灯すると共に部品挿入位置をモニタ（４ａ）に表示するので、挿入する部品を取り違えたり、「挿入忘れ」することがなくなり、習熟しない作業者でも基板に間違いなく部品を挿入できる。このため、異なる種類の基板に挿入する部品を収容した部品箱を混在させておくことが可能となり、１日の作業中に基板の種類が何度も変わる場合でも、部品箱を何度も取り替える必要がなくなる。
【０００６】
第２の観点では、本発明は、上記構成の部品手挿入ナビゲーション装置（１ａ）において、作業者が作業の終了を前記作業指示手段（５）に入力するための操作手段（６ａ）を具備し、前記作業指示手段（５）は、ある作業箇所で作業の終了が入力されると、同作業箇所で次に基板（ＰＢ）に挿入するべき部品があれば該部品を収容した部品箱（２ａ）の表示器（３ａ）を点灯すると共に基板（ＰＢ）上の部品挿入位置を前記モニタ（４ａ）に表示することを特徴とする部品手挿入ナビゲーション装置（１ａ）を提供する。
上記第２の観点による部品手挿入ナビゲーション装置（１ａ）では、対話的にナビゲーションを進めるので、作業者の習熟度に合わせた速度で作業を進めることが出来る。
【０００７】
第３の観点では、本発明は、基板（ＰＢ）に挿入するべき複数の部品がそれぞれ収容されている複数の部品箱（２ａ）と、作業者への指示を表示するモニタ（４ａ）と、次に基板（ＰＢ）に挿入するべき部品を収容した部品箱（２ａ）の識別子および基板（ＰＢ）上の部品挿入位置を前記モニタ（４ａ）に表示する作業指示手段（５）とを具備したことを特徴とする部品手挿入ナビゲーション装置（１ａ）を提供する。
上記第３の観点による部品手挿入ナビゲーション装置（１ａ）では、次に挿入する部品を収容した部品箱（２ａ）の識別子および部品挿入位置をモニタ（４ａ）に表示するので、挿入する部品を取り違えたり、「挿入忘れ」することがなくなり、習熟しない作業者でも基板に間違いなく部品を挿入できる。このため、異なる種類の基板に挿入する部品を収容した部品箱を混在させておくことが可能となり、１日の作業中に基板の種類が何度も変わる場合でも、部品箱を何度も取り替える必要がなくなる。
【０００８】
第４の観点では、本発明は、上記構成の部品手挿入ナビゲーション装置（１ａ）において、作業者が作業の終了を前記作業指示手段（５）に入力するための操作手段（６ａ）を具備し、前記作業指示手段（５）は、ある作業箇所で作業の終了が入力されると、同作業箇所で次に基板（ＰＢ）に挿入するべき部品があれば該部品を収容した部品箱（２ａ）の識別子および基板（ＰＢ）上の部品挿入位置を前記モニタ（４ａ）に表示することを特徴とする部品手挿入ナビゲーション装置（１ａ）を提供する。
上記第４の観点による部品手挿入ナビゲーション装置（１ａ）では、対話的にナビゲーションを進めるので、作業者の習熟度に合わせた速度で作業を進めることが出来る。
【０００９】
第５の観点では、本発明は、上記構成の部品手挿入ナビゲーション装置（１ａ）において、前記作業指示手段（５）は、基板上の部品挿入位置に印字された文字，記号等を前記モニタ（４ａ）に表示することを特徴とする部品手挿入ナビゲーション装置（１ａ）を提供する。
上記第５の観点による部品手挿入ナビゲーション装置（１ａ）では、モニタ（４ａ）に表示された文字，記号等によって部品挿入位置を論理的に確認できる。
【００１０】
第６の観点では、本発明は、上記構成の部品手挿入ナビゲーション装置（１ａ）において、前記作業指示手段（５）は、基板（ＰＢ）上の部品挿入位置を示すレイアウトを前記モニタ（４ａ）に表示することを特徴とする部品手挿入ナビゲーション装置（１ａ）を提供する。
上記第６の観点による部品手挿入ナビゲーション装置（１ａ）では、モニタ（４ａ）に表示されたレイアウトによって部品挿入位置を視覚的に確認できる。
【００１１】
第７の観点では、本発明は、上記構成の部品手挿入ナビゲーション装置（１ａ）において、前記作業指示手段（５）は、部品挿入履歴を前記モニタ（４ａ）に表示することを特徴とする部品手挿入ナビゲーション装置（１ａ）を提供する。
上記第７の観点による部品手挿入ナビゲーション装置（１ａ）では、モニタ（４ａ）に表示された部品挿入履歴と基板とを見比べることによって、作業に間違いがなかったかを確認できる。
【００１２】
第８の観点では、本発明は、上記構成の部品手挿入ナビゲーション装置（１ａ）において、前記作業指示手段（５）は、部品挿入予定を前記モニタ（４ａ）に表示することを特徴とする部品手挿入ナビゲーション装置（１ａ）を提供する。
上記第８の観点による部品手挿入ナビゲーション装置（１ａ）では、モニタ（４ａ）に表示された部品挿入予定を見ることによって、作業の進行状況を確認でき、作業者に心理的安定を与えることが出来る。
【００１３】
第９の観点では、本発明は、上記構成の部品手挿入ナビゲーション装置（１ａ）において、前記作業指示手段（５）は、ＣＳＶ形式のファイルによりプログラマブルであることを特徴とする部品手挿入ナビゲーション装置（１ａ）を提供する。
上記第９の観点による部品手挿入ナビゲーション装置（１ａ）では、ＣＳＶ形式のファイルを出力可能なパソコン用表計算ソフトやデータベースソフトを使って、部品挿入手順をプログラムできる。
【００１４】
第１０の観点では、本発明は、上記構成の部品手挿入ナビゲーション装置（１ａ）において、作業者が作業の終了を前記作業指示手段（５）に入力するための操作手段（６ａ）を具備し、前記作業指示手段（５）は、作業の終了が入力された時刻を計測することを特徴とする部品手挿入ナビゲーション装置（１ａ）を提供する。
上記第１０の観点による部品手挿入ナビゲーション装置（１ａ）では、作業終了時刻を計測することによって作業実績を管理でき、作業手順の改良を図るのに有用となる。
【００１５】
第１１の観点では、本発明は、基板（ＰＢ）を載せたキャリア（１２）が移動するライン（１１）に沿った複数の作業箇所に上記構成の部品手挿入ナビゲーション装置（１ａ，１ｂ，１ｃ）の部品箱（２ａ，２ｂ，２ｃ）と、表示器（３ａ，３ｂ，３ｃ）と、モニタ（４ａ，４ｂ，４ｃ）とをそれぞれ配したことを特徴とする部品手挿入ライン装置（１０）を提供する。
上記第１１の観点による部品手挿入ライン（１０）では、習熟しない作業者でも基板に間違いなく部品を挿入できる。また、１日の作業中に基板の種類が何度も変わる場合でも、部品箱を何度も取り替える必要がなくなる。このため、生産性を向上できる。
【００１６】
第１２の観点では、本発明は、上記構成の部品手挿入ライン装置（１０）において、ライン（１１）に沿った複数の作業箇所のうちの最後より前の作業箇所に、作業者が作業の終了を前記作業指示手段（５）に入力するための操作手段（６ａ，６ｂ，６ｃ）をそれぞれ配し、前記作業指示手段（５）は、ある作業箇所で作業の終了が入力されると、同作業箇所で次に基板（ＰＢ）に挿入するべき部品がなければ次の作業箇所にキャリア（１２）を移動する旨を前記モニタ（４ａ）に表示することを特徴とする部品手挿入ライン装置（１０）を提供する。
上記第１２の観点による部品手挿入ライン（１０）では、次の作業箇所にキャリア（１２）を移動する旨をモニタ（４ａ）に表示するため、円滑にラインを流すことが出来る。
【００１７】
【発明の実施の形態】
以下、図に示す実施の形態により本発明をさらに詳細に説明する。なお、これにより本発明が限定されるものではない。
【００１８】
図１は、本発明の一実施形態にかかる部品手挿入ライン１０の上面図である。
この部品手挿入ライン１０は、基板ＰＢを載せたキャリア１２が移動するレールライン１１に沿った第１，第２，第３の作業箇所に、部品手挿入ナビゲーション装置１ａ，１ｂ，１ｃの部品箱２ａ，２ｂ，２ｃと、表示器３ａ，３ｂ，３ｃと、モニタ４ａ，４ｂ，４ｃと、スイッチ６ａ，６ｂ，６ｃをそれぞれ配すると共に、共通の作業指示装置５を設けて構成されている。
【００１９】
キャリア１２に載せた基板ＰＢと並べて見ることが出来るように、モニタ４ａ，４ｂ，４ｃはレールライン１１の間に設置されている。
【００２０】
第１の作業箇所の部品手挿入ナビゲーション装置１ａは、異なる部品をそれぞれ収容している複数の部品箱２ａと、各部品箱２ａにそれぞれ設けられた表示器３ａおよびスイッチ６ａと、作業者への指示を表示するモニタ４ａと、第１の作業箇所で次に基板ＰＢに挿入するべき部品を収容した部品箱２ａの表示器３ａを点灯すると共にその部品箱２ａの識別子および基板ＰＢ上の部品挿入位置をモニタ４ａに表示する作業指示装置５とを具備して構成されている。
部品箱２ａには、第１の作業箇所で１日に挿入する部品が１日の開始時にセットされる。
【００２１】
第２の作業箇所の部品手挿入ナビゲーション装置１ｂは、異なる部品をそれぞれ収容している複数の部品箱２ｂと、各部品箱２ｂにそれぞれ設けられた表示器３ｂおよびスイッチ６ｂと、作業者への指示を表示するモニタ４ｂと、第２の作業箇所で次に基板ＰＢに挿入するべき部品を収容した部品箱２ｂの表示器３ｂを点灯すると共にその部品箱２ｂの識別子および基板ＰＢ上の部品挿入位置をモニタ４ｂに表示する作業指示装置５とを具備して構成されている。
部品箱２ｂには、第２の作業箇所で１日に挿入する部品が１日の開始時にセットされる。
【００２２】
第３の作業箇所の部品手挿入ナビゲーション装置１ｃは、異なる部品をそれぞれ収容している複数の部品箱２ｃと、各部品箱２ｃにそれぞれ設けられた表示器３ｃおよびスイッチ６ｃと、作業者への指示を表示するモニタ４ｃと、第３の作業箇所で次に基板ＰＢに挿入するべき部品を収容した部品箱２ｃの表示器３ｃを点灯すると共にその部品箱２ｃの識別子および基板ＰＢ上の部品挿入位置をモニタ４ｃに表示する作業指示装置５とを具備して構成されている。
部品箱２ｃには、第３の作業箇所で１日に挿入する部品が１日の開始時にセットされる。
【００２３】
作業指示装置５は、図示せぬパソコンで作成されたＣＳＶファイルをＬＡＮを介して読み込み、そのＣＳＶファイルとスイッチ６ａ，６ｂ，６ｃからの入力を基にして、表示器３ａ，３ｂ，３ｃとモニタ４ａ，４ｂ，４ｃとを制御し、作業のナビゲーションを行う。
【００２４】
。
部品を挿入する前の基板ＰＢは、搬入箱ＩＢに入れられて第１の作業箇所に搬入される。
部品を挿入した後の基板ＰＢは、搬出箱ＯＢに入れられて第３の作業箇所から搬出される。
【００２５】
図２は、第１の作業箇所での作業を示す説明図である。
作業指示装置５は、モニタ４ａに、初期画面として、作業対象の基板ＰＢの識別子である基板名ｍ１と、最初に挿入すべき部品の識別子である部品名ｍ２と、最初に挿入すべき部品を収容した部品箱２ａの識別子である部品箱名ｍ３と、最初に挿入すべき部品の基板ＰＢ上の部品挿入位置を示すレイアウトｍ４と、部品挿入履歴ｍ５と、部品挿入予定ｍ６と、作業指示メッセージｍ７とを表示する。部品名ｍ２としては、基板ＰＢ上の部品挿入位置に印字された文字，記号等が使用される。部品箱名ｍ３としては、部品箱２ａに印字された文字，記号等が使用される。
また、作業指示装置５は、最初に挿入すべき部品を収容した部品箱２ａの表示器３ａを点灯する。
【００２６】
作業者ＯＰは、基板名ｍ１を確認しながら搬入箱ＩＢから基板ＰＢを取り出し、キャリア１２に載せる。次に、表示器３ａが点灯している部品箱２ａから部品を取り出し、レイアウトｍ４および基板ＰＢ上に印字された文字，記号等を基に挿入位置を確認し、部品を挿入する。そして、表示器３ａが点灯している部品箱２ａのスイッチ６ａをプッシュする。
【００２７】
図３は、最初に挿入すべき部品Ｒ１を挿入し、その部品箱２ａのスイッチ６ａをプッシュした後の状態を示す説明図である。
作業指示装置５は、モニタ４ａに、次に挿入すべき部品の識別子である部品名ｍ２と、次に挿入すべき部品を収容した部品箱２ａの識別子である部品箱名ｍ３と、次に挿入すべき部品の基板ＰＢ上の部品挿入位置を示すレイアウトｍ４と、部品挿入履歴ｍ５と、部品挿入予定ｍ６とを表示する。
また、作業指示装置５は、次に挿入すべき部品を収容した部品箱２ａの表示器３ａを点灯する。
【００２８】
作業者ＯＰは、表示器３ａが点灯している部品箱２ａから部品を取り出し、レイアウトｍ４および基板ＰＢ上に印字された文字，記号等を基に挿入位置を確認し、部品を挿入する。そして、表示器３ａが点灯している部品箱２ａのスイッチ６ａをプッシュする。
同時に、作業者ＯＰは、部品挿入履歴ｍ５と基板ＰＢとを見比べて、作業に誤りがなかったかを確認する。また、部品挿入予定ｍ６を見て、作業の進行状況を確認する。
【００２９】
図４は、第１の作業箇所で最後に挿入すべき部品Ｒ３を挿入し、その部品箱２ａのスイッチ６ａをプッシュした後の状態を示す説明図である。
作業指示装置５は、モニタ４ａに、次の作業箇所へキャリア１２を移動すべき旨の作業指示メッセージｍ７を表示する。また、レイアウトｍ４には、第１の作業箇所で挿入した全ての部品Ｒ１，Ｒ２，Ｒ３の部品挿入箇所が表示される。
【００３０】
作業者ＯＰは、基板ＰＢとレイアウトｍ４と部品挿入履歴ｍ５とを見比べて、作業に誤りがなかったかを確認する。そして、誤りがなければ、第２の作業箇所へキャリア１２を押して移動する。
【００３１】
図５は、第２の作業箇所へキャリア１２を移動した後の状態を示す説明図である。
第２の作業箇所でも、第１の作業箇所と同様に、モニタ４ｂ，表示器３ｂおよびスイッチ６ｂに基づくナビゲーションに従って基板ＰＢに部品を挿入する。そして、次の作業箇所へキャリア１２を移動すべき旨の作業指示メッセージｍ７に従って第３の作業箇所へキャリア１２を押して移動する。
【００３２】
図６は、第３の作業箇所へキャリア１２を移動した後の状態を示す説明図である。
第３の作業箇所でも、第１の作業箇所と同様に、モニタ４ｃ，表示器３ｃおよびスイッチ６ｃに基づくナビゲーションに従って部品を挿入する。そして、最後の部品を挿入してからスイッチ６ｃを押すと、作業指示装置５は、モニタ４ａに、基板ＰＢを搬出箱ＯＢへ入れると共にキャリア１２を第１の作業箇所へ戻すべき旨の作業指示メッセージｍ７を表示する。そこで、作業者ＯＰは、基板ＰＢを搬出箱ＯＢへ入れ、キャリア１２を押して第１の作業箇所へ戻す。
【００３３】
第１の作業箇所では、作業指示装置５が、次の基板ＰＢについての初期画面をモニタ４ａに表示し、表示器３ａを点灯している。そこで、作業者ＯＰは、ナビゲーションに従って次の基板ＰＢに部品を挿入する。
以下、同様にして、基板ＰＢに部品を挿入する作業を進める。
【００３４】
作業指示装置５は、スイッチ６ａ，６ｂ，６ｃが押された時刻を計測し、作業実績時間を算出し、ＬＡＮを介して、図示せぬパソコンへ統計データとして出力する。従って、パソコンで統計データを基に作業実績を管理することが出来る。
【００３５】
図７は、パソコン用表計算ソフトやデータベースソフトを使って作成したプログラム表１００の例示図である。
このプログラム表１００において、「挿入座標」は、レイアウトｍ４のセル行列のセルの座標を表している。「作業箇所」は、第１の作業箇所を「Ａ」で、第２の作業箇所を「Ｂ」で、第３の作業箇所を「Ｃ」で表している。
このプログラム表１００をＣＳＶファイルで出力し、そのＣＳＶファイルを作業指示装置５に取り込めばよい。
【００３６】
以上の部品手挿入ライン１０および部品手挿入ナビゲーション装置１ａ，１ｂ，１ｃによれば、次の効果が得られる。
（１）次に挿入する部品を収容した部品箱２ａの表示器３ａを点灯すると共に部品挿入位置をモニタ４ａに表示するので、挿入する部品を取り違えたり、「挿入忘れ」することがなくなり、習熟しない作業者でも基板に間違いなく部品を挿入できる。
（２）異なる種類の基板に挿入する部品を収容した部品箱を混在させておくことが可能となり、１日の作業中に基板の種類が何度も変わる場合でも、部品箱を何度も取り替える必要がなくなる。
（３）パソコンを使って作業をプログラムできるため、作業指図書を作成する必要がなくなる。
（４）作業実績を管理することが出来る。
【００３７】
【発明の効果】
本発明の部品手挿入ラインおよび部品手挿入ナビゲーション装置によれば、部品箱を何度も取り替える必要がなく且つ習熟しない作業者でも基板に間違いなく部品を挿入できるようになる。
【図面の簡単な説明】
【図１】本発明の一実施形態にかかる部品手挿入ラインを示す上面図である。
【図２】第１の作業箇所での作業開始時の状態を示す説明図である。
【図３】第１の作業箇所での最初の部品の挿入後の状態を示す説明図である。
【図４】第１の作業箇所での最後の部品の挿入後の状態を示す説明図である。
【図５】第２の作業箇所での作業状態を示す説明図である。
【図６】第３の作業箇所での作業状態を示す説明図である。
【図７】プログラム表の例示図である。
【符号の説明】
１ａ，１ｂ，１ｃ　　　部品手挿入ナビゲーション装置
２ａ，２ｂ，２ｃ　　　部品箱
３ａ，３ｂ，３ｃ　　　表示器
４ａ，４ｂ，４ｃ　　　モニタ
５　　　　　　　　　　作業指示装置
６ａ，６ｂ，６ｃ　　　スイッチ
１０　　　　　　　　　部品手挿入ライン
１１　　　　　　　　　レールライン
１２　　　　　　　　　キャリア
ｍ１　　　　　　　　　基板名
ｍ２　　　　　　　　　部品名
ｍ３　　　　　　　　　部品箱名
ｍ４　　　　　　　　　レイアウト
ｍ５　　　　　　　　　部品挿入履歴
ｍ６　　　　　　　　　部品挿入予定
ｍ７　　　　　　　　　作業指示メッセージ
ＩＢ　　　　　　　　　搬入箱
ＯＢ　　　　　　　　　搬出箱
ＰＢ　　　　　　　　　プリント基板
【図１】
2004071592.tif 000003
【図２】
2004071592.tif 000004
【図３】
2004071592.tif 000005
【図４】
2004071592.tif 000006
【図５】
2004071592.tif 000007
【図６】
2004071592.tif 000008
【図７】
2004071592.tif 000009